(57)【要約】【課題】  眼鏡の掛け心地を向上させ、使用者の鼻に残される赤跡や鼻との接触部の痛みを軽減させることのできる、眼鏡用鼻パッドを提供する。また、前記眼鏡用鼻パッドを有する眼鏡を提供する。【解決手段】  使用者の鼻に接触する側の面１ａに複数の凸状部を設けることにより、眼鏡の重量や眼鏡に与えられる衝撃が、凸状部の頂点１ｃ，１ｄを中心として、複数の部分に分散されて鼻に伝わり、その結果、鼻に残される赤跡や鼻との接触部の痛みが軽減される。【選択図】図１ 
2005326558.tif 000002
【特許請求の範囲】
【請求項１】
使用者の鼻に接触する側の面に複数の凸状部を有する眼鏡用鼻パッド。
【請求項２】
前記凸状部が、上部と下部にそれぞれ設けられている、請求項１に記載の眼鏡用鼻パッド。
【請求項３】
前記凸状部が空洞を有する、請求項１又は２に記載の眼鏡用鼻パッド。
【請求項４】
前記空洞が開口している、請求項３に記載の眼鏡用鼻パッド。
【請求項５】
前記凸状部が弾性を有する、請求項１〜４のうちのいずれか１項に記載の眼鏡用鼻パッド。
【請求項６】
射出成形により形成される、請求項１〜５のうちのいずれか１項に記載の眼鏡用鼻パッド。
【請求項７】
請求項１〜６のうちのいずれか１項に記載の眼鏡用鼻パッドを有する、眼鏡。
【発明の詳細な説明】
【技術分野】
【０００１】
本発明は、使用者の鼻に接触させて眼鏡を鼻の上に支持するための眼鏡用鼻パッドに関する。
【背景技術】
【０００２】
従来の眼鏡用鼻パッドの一例を図４に示す。図４（Ａ）は、眼鏡用鼻パッドの概略を示す正面図であり、（Ｂ）は、その側面図である。
【０００３】
図４（Ａ）及び（Ｂ）によれば、眼鏡用鼻パッド４１は、使用者の鼻に接触する側の面４１ａとその反対側の面４１ｂを有する板状のものである。鼻に接触する側の面４１ａは凸状に緩やかにカーブしており、その凸状の面に頂部４１ｃを有する。この鼻パッド４１には、面４１ｂのほぼ中央部に、一端部４２ａが埋設された状態となっている連結部材４２が取り付けられている。鼻パッド４１は、この連結部材４２を介して、眼鏡のフレームに固定される。
【０００４】
この鼻パッド４１では、眼鏡の重量や眼鏡に与えられる衝撃が、前記凸状の面４１ａの頂部４１ｃを中心とした１つの部分で鼻に伝わり、鼻を圧迫する。その結果、鼻にパッドの跡を赤く残したり、鼻との接触部が痛くなる等の不都合があった。
【０００５】
また、特開平１０−３１９３５５号公報では、硬質板片と軟質板片との間に所定の大きさの空洞部が設けられ、前記硬質板片と軟質板片が接合されることにより形成され、前記軟質板片が鼻に当接される眼鏡用鼻パッドが開示されている。同公報によれば、パッドが鼻に当接された際に、軟質板片が変形しやすく、その結果、眼鏡から鼻へ負荷される圧力を緩和し、鼻に対する感触を柔らかいものとすることができる。
【０００６】
しかし、パッドが鼻と接触する部分にかかる圧力が、前記軟質板片の鼻に当接する面の１つの部分で鼻に伝わることに変わりはない。従って、鼻にパッドの跡を赤く残したり、鼻の接触部が痛くなる等の問題点は解決されていない。
【０００７】
【特許文献１】特開平１０−３１９３５５号公報
【発明の開示】
【発明が解決しようとする課題】
【０００８】
本発明の目的は、上記従来技術の問題点を解決し、眼鏡の掛け心地を向上させる、眼鏡用鼻パッドを提供することにある。
また、前記眼鏡用鼻パッドを有する眼鏡を提供することにある。
【課題を解決するための手段】
【０００９】
本発明者らは、鋭意検討の結果、鼻パッドの鼻に接触する側の面に複数の凸状部を設けることにより、眼鏡の重量や眼鏡に与えられる衝撃を分散して鼻に伝えることができ、その結果、鼻に残される赤跡や鼻との接触部の痛みを軽減させ得ることを見出し、本発明に到達した。
【００１０】
本発明は、使用者の鼻に接触する側の面に複数の凸状部を有する眼鏡用鼻パッドである。
【００１１】
本発明は、前記凸状部が、上部と下部にそれぞれ設けられている、前記の眼鏡用鼻パッドである。
【００１２】
本発明は、前記凸状部が空洞を有する、前記の眼鏡用鼻パッドである。
【００１３】
本発明は、前記空洞が開口している、前記の眼鏡用鼻パッドである。
【００１４】
本発明は、前記凸状部が弾性を有する、前記の眼鏡用鼻パッドである。
【００１５】
本発明は、射出成形により形成される、前記の眼鏡用鼻パッドである。
【００１６】
本発明は、前記のいずれかの眼鏡用鼻パッドを有する、眼鏡である。
【発明を実施するための最良の形態】
【００１７】
以下、本発明の眼鏡用鼻パッドの構成を、図面を用いて説明する。
【００１８】
図１に、本発明の眼鏡用鼻パッドの一例を示す。図１（Ａ）は、眼鏡用鼻パッドの概略を示す正面図であり、（Ｂ）は、その側面図である。（Ｃ）は、（Ａ）の、線Ｃ−Ｃに沿う縦断面図である。
（Ａ）は、使用状態における鼻パッドの上側が上になるように図示されている。
【００１９】
図１を参照すると、本発明の鼻パッド１は、鼻に接触する側の面１ａとその反対側の面１ｂとを有する。鼻に接触する側の面１ａは、上部凸部と下部凸部とを有する。上部凸部と下部凸部は、その凸面の最も突出した部分として、それぞれ頂部１ｃと頂部１ｄを有する。
なお、図示の例では、鼻パッド１は、面１ｂの中央部に、一端部２ａが埋設されている連結部材２を有する。鼻パッドは、連結部材２によって眼鏡のフレームに固定される。
【００２０】
鼻パッド１は、前記上部凸部と下部凸部で鼻と接触する。眼鏡の重量や眼鏡に与えられる衝撃は、前記頂部１ｃと頂部１ｄを中心として、２つの部分に分散されて鼻に伝わるため、眼鏡から鼻へ負荷される圧力が緩和される。
【００２１】
図２に、本発明の眼鏡用鼻パッドの一変形例を示す。図２（Ａ）は、眼鏡用鼻パッドの概略を示す正面図であり、（Ｂ）は、その側面図である。（Ｃ）は、（Ａ）の、線Ｃ−Ｃに沿う縦断面図である。
（Ａ）は、使用状態における鼻パッドの上側が上になるように図示されている。
【００２２】
図２を参照すると、本発明の鼻パッド２１は、鼻に接触する側の面２１ａとその反対側の面２１ｂとを有する。鼻に接触する側の面２１ａは、上部凸部と下部凸部、及びその間に凹部を有する。上部凸部と下部凸部は、その凸面の最も突出した部分として、それぞれ頂部２１ｃと頂部２１ｄを有する。
また、上部凸部は空洞２３ａを、下部凸部は空洞２３ｂをそれぞれ有している。空洞２３ａ及び空洞２３ｂは、鼻に接触する側の面２１ａ側の薄肉部２４ａとその反対側の面２１ｂ側の厚肉部２４ｂによって形成されている。前記凹部では、薄肉部２４ａと厚肉部２４ｂが一体化している。
図示の例では、薄肉部２４ａは厚肉部２４ｂよりも幅広に形成されている。
さらに、空洞２３ａ及び空洞２３ｂは、鼻パッド２１の側部に向いて開口している。
なお、図示の例では、鼻パッド２１は、面２１ｂの中央部に、一端部２２ａが埋設されている連結部材２２を有する。鼻パッドは、連結部材２２によって眼鏡のフレームに固定される。
【００２３】
鼻パッド２１は、前記上部凸部と下部凸部で鼻と接触する。従って、図１の鼻パッド１と同様に、前記頂部２１ｃと頂部２１ｄを中心として、２つの部分に分散されて鼻に伝わるため、眼鏡から鼻へ負荷される圧力が緩和される。
また、凸状部は、空洞部２３ａ及び２３ｂを有することにより、鼻に接触する側の面２１ａが鼻に接触した際に弾性的に変形しやすい。その結果、鼻パッド２１は、眼鏡に与えられる衝撃を吸収し、また、眼鏡から負荷される圧力を緩和するため、眼鏡の掛け心地が向上する。
さらに、空洞２３ａ及び２３ｂが鼻パッド２１の側部に向いて開口していることにより、凸状部はより弾性的に変形しやすく、鼻への負担はさらに軽減される。
また、薄肉部２４ａは厚みが薄いため、鼻に接触する側の面２１ａが鼻に接触した際に、凸状部が弾性を有する。
一方、厚肉部２４ｂは、分厚く、鼻パッド２１全体の形状を保持するとともに、連結部材２２を取り付けるための土台として機能する。
【００２４】
図３は、本発明の鼻パッドを取り付けた眼鏡の一例を示す概略斜視図である。本発明の鼻パッド３１は、眼鏡フレーム３５の鼻パッド取付位置に、連結部材３２を介して取り付けられている。また、パッドは、連結部材を介さずに直接眼鏡フレームに接着されていてもよい。さらに、パッドは、眼鏡フレームに対して左右一対となっていても、左右一体型となっていてもよい。
また、本発明の眼鏡用鼻パッドを取り付ける眼鏡の種類は、特に限定されず、遠視用眼鏡、近視用眼鏡またはサングラス等の耳に装着するテンプルを有するものや、鼻眼鏡、ローネット、又はモノクル等のテンプルを有さないものであってもよい。
【００２５】
本発明の眼鏡用鼻パッドの素材として、セルロースアセテート、セルロースプロピオネート、ナイロン、塩化ビニル樹脂、ポリウレタン樹脂、ケイ素樹脂、シリコーン樹脂、アクリル樹脂、スチレン樹脂、天然ゴム、各種の合成ゴム等の眼鏡用鼻パッドの素材として公知の素材を制限なく使用することができる。また、環境保護を目的とした廃棄物処理の観点から、生分解性ポリマーを用いることも好ましい。生分解性ポリマーの中でも、生分解特性に優れ、耐食性に優れ、生体安全性が高く、しかも分解物である乳酸が生体内で吸収される点、価格が安価である点、透明である点、着色性が良い点等で、ポリ乳酸系樹脂が特に好ましい。
【００２６】
本発明の鼻パッドの製造方法としては、射出成形や各部材の接合等による公知の製造方法を制限なく用いることができる。特に、強度の安定した鼻パッドを得ることができることから、鼻パッド全体を一体として射出成形する方法が好ましい。
【００２７】
本発明の鼻パッドの大きさについては、特に制限はないが、視界を遮らず、且つフレームの外観を損なわない程度のものが好ましい。また、形状についても特に制限はないが、鼻に接触した際に傷をつけないような形状とすることが好ましい。
【００２８】
本発明によれば、眼鏡用鼻パッドに設けられた複数の凸状部によって、眼鏡の重量や眼鏡に与えられる衝撃が分散されて鼻に伝わるため、眼鏡から鼻へ負荷される圧力が緩和される。その結果、鼻に残される赤跡や鼻との接触部の痛みが軽減される。
また、凸状部が空洞を有し、あるいはその空洞が開口していることにより、鼻への接触面が変形し、鼻への圧力がより緩和されるため、眼鏡の掛け心地がさらに向上する。
【図面の簡単な説明】
【００２９】
【図１】本発明の眼鏡用鼻パッドの一例の概略構成図である。（Ａ）は、眼鏡用鼻パッドの概略を示す正面図であり、（Ｂ）は、その側面図である。（Ｃ）は、（Ａ）の、線Ｃ−Ｃに沿う縦断面図である。
【図２】本発明の眼鏡用鼻パッドの変形例の概略構成図である。（Ａ）は、眼鏡用鼻パッドの概略を示す正面図であり、（Ｂ）は、その側面図である。（Ｃ）は、（Ａ）の、線Ｃ−Ｃに沿う縦断面図である。
【図３】本発明の眼鏡用鼻パッドを有する眼鏡の一例の概略斜視図である。
【図４】従来の眼鏡用鼻パッドの一例の概略構成図である。図４（Ａ）は、眼鏡用鼻パッドの概略を示す正面図であり、（Ｂ）は、その側面図である。
【符号の説明】
【００３０】
１    ：鼻パッド
２    ：連結部材
２１  ：鼻パッド
２２  ：連結部材
２３ａ：空洞
２３ｂ：空洞
２４ａ：薄肉部
２４ｂ：厚肉部
３１  ：鼻パッド
３２  ：連結部材
３５  ：眼鏡フレーム
４１  ：鼻パッド
４２  ：連結部材
【図１】
2005326558.tif 000003
【図２】
2005326558.tif 000004
【図３】
2005326558.tif 000005
【図４】
2005326558.tif 000006